【手続補正書】
【提出日】平成19年1月9日(2007.1.9)
【手続補正１】
【補正対象書類名】明細書
【補正対象項目名】特許請求の範囲
【補正方法】変更
【補正の内容】
【特許請求の範囲】
【請求項１】  バックプレートと反対側のハウジング一端部に横方向に配置された金属被膜ダイアフラムを有するエレクトレットマイクロフォンを備え、
前記ハウジングが内方に延びる側壁およびバックチャンバを部分的に囲む前壁を有し、ハウジングの開放端において前記側壁の縁部に接触して沿って延びるプリント回路基板によって前記バックチャンバが音響的にシールされ、
前記補聴器の電子部品が前記プリント回路基板上に配置され、電気接続がプリント回路基板の第一主面上の部品と前記バックプレートとの間に形成されている補聴器。
【請求項２】  請求項１において、前記電気接続が細長い弾性導電部材を備え、この部材の一端部が前記プリント回路基板に固定され、他端部が前記バックプレートと弾性的な電気接触を行う補聴器。
【請求項３】  請求項２において、前記細長い弾性導電部材が前記バックプレートに導電性エポキシによって固定されている補聴器。
【請求項４】  請求項２において、前記細長い弾性導電部材が前記バックプレートに付加または形成されている補聴器。
【請求項５】  請求項２において、前記細長い弾性導電部材がベリリウム銅から作製されている補聴器。
【請求項６】  請求項１において、前記電気接続が、前記バックプレートと前記プリント回路基板部品の間に接続されているバッファ／増幅器を含む補聴器。
【請求項７】  請求項２において、前記弾性導電部材が０．００１"（０．０２５ｍｍ）厚みの銅箔から作製され、この銅箔は、プリント回路基板にはんだ付けされたベースと、ベースから一体的に突出して組立中に前記バックプレートに接触する折曲部とを有する補聴器。
【請求項８】  請求項７において、前記弾性部材の前記折曲部が組立中に導電性エポキシドットに突き刺さるように、前記バックプレートが、前記プリント回路基板に面する下面に付着された導電性エポキシドットを有する補聴器。
【請求項９】  請求項７において、前記弾性部材の前記折曲部が、使用中に前記バックプレートとの接触維持を容易にするように金メッキされている補聴器。
【請求項１０】  請求項７において、前記バックプレートが、前記弾性部材接触を収容するくぼみを有する補聴器。
【請求項１１】  請求項２において、前記弾性部材は、前記プリント回路基板にはんだ付けされるリング状の形成物を有する金属ワイヤから作製され、このリングから突き出して組立中に前記バックプレートに接触するリード部を有する補聴器。
【請求項１２】  請求項１において、前記電気接続が、前記バックプレートに置かれた第１導電性エポキシドットと、この第１導電性エポキシドットに並べられ、前記プリント回路基板上に置かれた第２導電性エポキシドットとを有し、組立中に、前記第１および第２エポキシドットが互いに侵入して、融合および混合することにより電気接触を形成するサイズを有する補聴器。
【請求項１３】  請求項１において、前記電気接続が、前記プリント回路基板方向に突出するように前記バックプレートに形成された槍状部材と、前記プリント回路基板上に形成された電気導電性エポキシドットとを備え、前記槍状部材が前記エポキシドットを突き刺して、使用中に電気接触を維持するように前記エポキシドット中に落ち着く構成となっている補聴器。
【請求項１４】  請求項１において、前記電気接続は、導電リード上に形成された比較的小さいプラスチック立方体を備え、前記リードは前記立方体に巻き付けられ、立方体から突き出し、前記立方体は前記プリント回路基板に固定され、導電リードが前記立方体から突出して前記バックプレート電極に接触することにより前記電気接続を形成する補聴器。【請求項１５】  ダイアフラムから形成されたマイクロフォンと、このマイクロフォンに隣接する平面内で、補聴器ケーシングのフェースプレートの表面に接近しかつ平行に延びるバックプレートとを備えた補聴器であって、
前記マイクロフォンはハウジング内に収容され、ケーシングの前記フェースプレートには音波を導入する複数の音響開口が形成され、この音波が前記マイクロフォンによって電気パルスに変換されて前記バックプレートから前記ハウジングの信号処理回路に接続される補聴器。
【請求項１６】  請求項１５において、前記開口は、風の乱流を抑制するように、１つ以上の表面にフレア有する補聴器。
【請求項１７】  請求項１５において、振動遮断材料が、前記ハウジングと近接するケーシング表面との間に配置されている補聴器。
【請求項１８】  請求項１７において、前記振動遮断材料が、前記マイクロフォンの特定周波数共振応答を抑制するように選択されている音響減衰特性を有する補聴器。
【請求項１９】  請求項１において、前記回路基板がガラスエポキシ基板で形成されている補聴器。
【請求項２０】  請求項１において、前記バックチャンバが前記ハウジングの側壁に沿って横方向に延びる追加的な回路基板によって細分されている補聴器。
【請求項２１】  補聴器ケーシングと、
前記ケーシングの基部に配置された幅「Ｗ」および長さ「Ｌ」のハウジングと、
導電性バックプレートと反対側に配置された導電性膜を備えたダイアフラムから形成されたトランスジューサであって、前記膜とダイアフラムは前記フェースプレートを通して形成された音響開口を有する前記ケーシングのフェースプレートに対向し、このフェースプレートに平行に近接する平面内に延びているトランスジューサとを備えている補聴器。
【請求項２２】  請求項２１において、
前記ハウジングは導電性を有し、前記フェースプレートに対して開いている前面および前記フェースプレートから長手方向内方に延びる側壁が形成され、さらに、
ハウジングとの電気的接触の状態で前記側壁に沿って延びる導電アース平面を有して、前記トランスジューサに対する音響シールを構成するプリント回路基板と、
前記プリント回路基板上に設けられた前記トランスジューサによって発生した信号を処理する電子部品とを備え、
前記ハウジングおよびプリント回路基板が、前記部品およびトランスジューサの周りにＥＭＩシールドを形成している補聴器。
【請求項２３】  請求項２１において、前記フェースプレートに対向するハウジングの面積と、前記フェースプレートの面積の比が少なくとも０．５である補聴器。
【請求項２４】  請求項２１において、前記ハウジングが、縦方向長さよりも横方向長さの方が大きい補聴器。
【請求項２５】  前面および背面を有するダイアフラムと、
前記ダイアフラムに隣接して横方向に配置されたバックプレートと、
前記前面に近接する前面を有する導電性ハウジングとを備えた補聴器用のマイクロフォンアセンブリであって、
前記ハウジングは末端部に横方向の開口を有し、この末端部はバックチャンバを形成する前記開口に沿って延びるアース平面を有する第１プリント回路基板によって音響的にシールされ、前記アース平面は前記ハウジングと電気接触することによって前記プリント回路基板上の電子部品に対するＥＭＩシールドを実現している補聴器用のマイクロフォンアセンブリ。
【請求項２６】  請求項２５において、前記部品が補聴器用信号処理部品を含むアセンブリ。
【請求項２７】  請求項２５において、前記部品がバッファおよび増幅機能を実行する集積回路を含むアセンブリ。
【請求項２８】  請求項２５において、前記ハウジングの側壁に沿って、ハウジングに電気的に接触した状態で延びるアース平面を有する追加的なプリント回路基板を備えたアセンブリであって、
前記追加的なプリント回路基板が前記バックプレートの近傍に隣接して配置され、前記追加的なプリント回路基板は内部にバッファ回路を有して、前記バックプレートから前記バッファ回路の入力までの電気接続を備えている、アセンブリ。
【請求項２９】  金属バックプレートとは反対側の金属被膜ダイアフラムを形成してエレクトレットマイクロフォンを設ける工程と、
前壁から突出する側壁を有するハウジングの一端部にダイアフラムおよびバックプレートを横方向に配置する工程と、
プリント回路基板を前記側壁に接触させて沿って横方向に延ばし、前記プリント回路基板を有するハウジングの開放端を音響的にシールする工程と、
前記プリント回路基板上に補聴器用電子部品を設ける工程と、
前記バックプレートとプリント回路基板上の部品との間に電気接続を形成する工程とを備えた補聴器形成方法。
【請求項３０】  請求項２９において、前記電子接続が細長い弾性部材を備え、この部材の一端部をプリント回路基板に導電的な方法で固定する工程を備え、この部材の他端部でバックプレート電極と弾性電気接触を形成する補聴器形成方法。
【請求項３１】  円形で約４ｍｍの直径を有する大面積のダイアフラムおよび隣接する平面内に延びるバックプレートを設けることによりマイクロフォンを形成する工程と、
前記ダイアフラムとバックプレートをマイクロフォンケーシングの表面の近傍に配置する工程と、
前記ダイアフラムに対向するケーシングに、音波を導入する音響開口を形成し、この音波が前記バックプレートにおいて電気パルスに変換される工程と、
前記バックプレートからのパルスをケーシングの信号処理回路に接続する工程とを備えた補聴器マイクロフォン形成方法。
【請求項３２】  請求項１５において、前記ケーシングフェースプレートと前記ダイアフラムとの間に大きい孔を有する複数の音響開口に対向する前面を前記ハウジングが有し、前記ハウジングの前面の合計面積がフェースプレートの全面積に近い値である補聴器。
【請求項３３】  請求項１７において、前記材料が音響的にほぼ透過である補聴器。
【請求項３４】  請求項１５において、前記音響開口の直径が４０ミル（１ｍｍ）よりも小さい補聴器。
【請求項３５】  請求項１５において、前記音響開口の直径が約１５〜３０ミル（０．３８〜０．７６ｍｍ）の範囲を有する補聴器。
【請求項３６】  請求項１５において、前記音響開口がケーシングの内部にフレアを有する補聴器。
【請求項３７】  請求項１５において、前記音響開口がケーシングの外部にフレアを有する補聴器。
【請求項３８】  請求項１５において、前記音響開口がケーシングの内部および外部にフレアを有する補聴器。
【請求項３９】  請求項１において、前記プリント回路基板が柔軟性を有する接着剤によってハウジングにシールされている補聴器。
【請求項４０】  請求項３９において、前記プリント回路基板が導電性エポキシによってハウジングにシールされている補聴器。
【請求項４１】  請求項１において、前記プリント回路基板が中間部材を用いて基板とハウジングの間の圧力接触によって音響的にシールされている補聴器。
【請求項４２】  請求項４１において、前記圧力接触はハウジング側壁から延びるタブによって維持され、基板の外側に形成されたアース平面に締め付けられている補聴器。
【請求項４３】  請求項１において、前記電気接続はハウジングの内部を電磁妨害からシールドするプリント回路基板上のアース平面を備えた補聴器。
【請求項４４】  請求項２５において、さらに、第１プリント回路基板に隣接して横方向に配置された第２プリント回路基板を有し、ＪＦＥＴバッファが前記第１プリント回路基板に取付けられている補聴器。
【請求項４５】  請求項４４において、電池またはレシーバ以外の補聴器を機能させるのに必要なほぼすべての電子部品が前記第２プリント回路基板に取付けられている補聴器。
【請求項４６】  請求項４５において、さらに、前記第２プリント回路基板を囲むカバーを有し、このカバーがその周縁部でハウジングを電気的にシールする補聴器。
【請求項４７】  電子部品を収容するマイクロフォンアセンブリをＥＭＩシールドする方法であって、
マイクロフォンアセンブリを金属カバーの開放端部に収める工程と、
アース平面を含む第２面に対向するプリント回路基板の第１面に部品を取り付ける工程と、
前記カバーの周縁部と前記アース平面との間に電気接続を形成する工程とを備えたＥＭＩシールド方法。
【請求項４８】  請求項４７において、前記接続が導電性エポキシによって行われるＥＭＩシールド方法。
【請求項４９】  請求項４７において、前記接続がはんだ付けによって行われるＥＭＩシールド方法。
【請求項５０】  請求項４７において、前記接続が溶接によって行われるＥＭＩシールド方法。
【請求項５１】  請求項４７において、前記接続が圧力接触によって行われるＥＭＩシールド方法。
【請求項５２】  請求項１において、プリント回路基板の前記第１面の部品はＪＦＥＴバッファであり、他の部品が第１面と反対側のプリント回路基板面に取付けられている補聴器。
【請求項５３】  請求項５２において、前記プリント回路基板が前記アセンブリのバックチャンバの音響シールを構成する補聴器。
【請求項５４】  請求項５３において、さらに、電気接続がＪＦＥＴから反対側の部品にプリント回路基板を介して形成される補聴器。
【請求項５５】  補聴器用のマイクロフォンアセンブリを形成する方法であって、
カバーの周縁部から径方向内方に延びる、軸方向に後退した円形部分を有する円形ハウジングカバーを設ける工程と、
フレームが後退した円形部分に接触するようにダイアフラムおよび円環状のサポートフレームを前記カバー内に挿入して、カバーとダイアフラムの間に所定の間隔を設ける工程と、
バックプレートの周縁部に径方向内方に延びる円形突起部がフレームの周縁部に接するようにバックプレートを前記カバー内に挿入して、バックプレートの内部中央表面とダイアフラムの隣接面との間に空間を確保する工程と、
前記バックプレートに接する取付リングによって前記バックプレートの周縁部をダイアフラムとカバーに締め付ける工程とを備えた補聴器用マイクロフォンアセンブリ形成方法。
【請求項５６】  請求項５５において、前記取付リングが前記カバーの側壁内部に圧入される補聴器用マイクロフォンアセンブリ形成方法。
【請求項５７】  請求項５５において、前記取付リングの周縁端部に突起部が形成され、この突起部は、ハウジングの側壁内部に接し、前記カバーの開放端部に沿って延びる環状プリント回路基板によって前記カバーがシールされると、折れ曲がるようになっている、補聴器用マイクロフォンアセンブリ形成方法。
【請求項５８】  請求項６において、前記バッファ増幅器が前記ハウジングの側壁に取付けられたＪＦＥＴである補聴器。
【請求項５９】  電池およびレシーバ以外の補聴器を機能させるのに必要なすべての電子部品が、マイクロフォンと共に単一のＥＭＩシールドされたハウジング内に収容されている補聴器用マイクロフォンモジュール。